(57)【要約】【課題】装着者の体形に応じてバリヤ部の位置を調整可能にする。【解決手段】物品内面の幅方向両側部に、前後方向に延在するバリヤシート４がそれぞれ設けられた紙おむつにおいて、両バリヤシート４，４の幅方向外側の部分４ｘを前後方向全体にわたり物品内面に固定するとともに、幅方向中央側の部分４ｃを、前後方向の両端部のうち腹側の端部では第２フックテープ２１により物品内面に着脱自在に固定し、背側の端部ではホットメルト接着剤により物品内面に固定し、かつ前後方向の両端部間では物品内面に固定しない構造とする。バリヤシート４の非固定部分により物品内面に対して起立可能なバリヤ部が形成される。【選択図】図１
2008079642.tif 000002
【特許請求の範囲】
【請求項１】
物品内面の幅方向両側部に、前後方向に延在するバリヤシートがそれぞれ設けられ、
少なくとも一方のバリヤシートは、幅方向外側の部分が前後方向全体にわたり物品内面に固定されるとともに、幅方向中央側の部分が、前後方向の両端部のうち少なくとも一方の端部では物品内面に着脱自在に固定され、かつ前後方向の両端部間では物品内面に固定されておらず、この非固定部分により物品内面に対して起立可能なバリヤ部が形成されている、
ことを特徴とする吸収性物品。
【請求項２】
物品内面の幅方向両側部に、前後方向に延在するバリヤシートがそれぞれ設けられ、
両バリヤシートは、幅方向外側の部分が前後方向全体にわたり物品内面に固定されるとともに、幅方向中央側の部分が、前後方向の両端部のうち腹側の端部では物品内面に着脱自在に固定され、背側の端部では物品内面に固定され、かつ前後方向の両端部間では物品内面に固定されておらず、この非固定部分により物品内面に対して起立可能なバリヤ部が形成されている、
ことを特徴とする吸収性物品。
【請求項３】
物品内面の幅方向両側部に、前後方向に延在するバリヤシートがそれぞれ設けられ、
両バリヤシートは、幅方向外側の部分が前後方向全体にわたり物品内面に固定されるとともに、幅方向中央側の部分が、前後方向の両端部では物品内面に着脱自在に固定され、かつ前後方向の両端部間では物品内面に固定されておらず、この非固定部分により物品内面に対して起立可能なバリヤ部が形成されている、
ことを特徴とする吸収性物品。
【請求項４】
前記バリヤシートの幅方向中央側の部分における前後方向範囲のうち、前記着脱自在に固定された端部における幅方向外側の縁に沿ってミシン目が形成されており、このミシン目を切り離すことにより、ミシン目を境に幅方向中央側の部分を幅方向外側の部分から離間させて物品内面に着脱自在に固定できるように構成した、請求項１〜３のいずれか１項に記載の吸収性物品。
【請求項５】
バリヤシートにおける少なくとも前記幅方向中央側の部分が、幅方向に弾性伸縮する弾性伸縮シートで形成されている、請求項１〜４のいずれか１項に記載の吸収性物品。
【請求項６】
前記着脱自在に固定するための手段として、前記バリヤシートにおける前記着脱自在に固定する部位に、表面にフック状突起を多数有するフック部、あるいは粘着材層が設けられている、請求項１〜５のいずれか１項に記載の吸収性物品。
【請求項７】
前記バリヤ部の少なくとも先端部に、細長状弾性伸縮部材が前後方向に沿って伸張状態で固定されている、請求項１〜６のいずれか１項に記載の吸収性物品。
【発明の詳細な説明】
【技術分野】
【０００１】
本発明は、バリヤ部の位置を適宜変更できる吸収性物品に関するものである。
【背景技術】
【０００２】
図９〜図１１は、従来の止着式紙おむつを示している。この紙おむつは、おむつ外形をなす不透液性バックシート１０１と、透液性表面シート１０２と、これらの間に介在された吸収体１０３を有すると共に、背側両側縁から側方に突出するファスニングテープ１０５，１０５を有している。そして、使用に際しては、腹側の両側部と背側の両側部とを近接させ、あるいは重ね合わせた状態で、背側のファスニングテープ１０５，１０５を腹側表面のターゲットテープ１０６に接合することにより、身体に装着するようになっている（例えば、特許文献１〜３参照）。
一般に、接合片１０５，１０５とターゲットテープ５との接合手段１０９としては、粘着剤又はメカニカルファスナーが使用されているが、後者は接合力を強くでき、また剥離を繰り返しても接合力が低下し難いため汎用されている。
他方、この紙おむつの例に示されるように、生理用ナプキン等の股間部に用いる吸収性物品の全般において、内面の幅方向両側部に、前後方向に延在するバリヤシート１０４，１０４がそれぞれ設けられ、両バリヤシート１０４，１０４は、幅方向外側の部分１０４ｘが前後方向全体にわたり本体部内面に着脱しないように接着固定されるとともに、幅方向中央側の部分１０４ｃが、前後方向の両端部は本体部内面に着脱しないように接着固定され、かつ前後方向の両端部間では本体部に固定されておらず、この非固定部分により本体部内面に対して起立可能なバリヤ部（一般に立体ギャザーともいわれている）が形成されている。このバリヤ部は、股間側の脚回りに接触することにより所謂横漏れを防止すること意図したものである。なお、図９にハッチングで示す部分、ならびに図１０及び図１１に点模様で示す部分は、バリヤシート１０４の接着固定部分を示している。
【特許文献１】実開平６−３１７２６号公報
【特許文献２】特開２００２−９５６９３号公報
【特許文献３】特開２００５−１６０５０６号公報
【発明の開示】
【発明が解決しようとする課題】
【０００３】
しかし、従来の吸収性物品では、装着者の体形が千差万別であるにもかかわらず、両バリヤ部の位置が固定されていたため、非標準的な体形の装着者においてはバリヤ部が効果的にフィットせず、違和感を生じたり、横漏れを生じたりするという問題点があった。
そこで、本発明の主たる課題は、装着者の体形に応じてバリヤ部の位置を調整可能にすることにある。
【課題を解決するための手段】
【０００４】
上記課題を解決した本発明は次記のとおりである。
＜請求項１記載の発明＞
物品内面の幅方向両側部に、前後方向に延在するバリヤシートがそれぞれ設けられ、
少なくとも一方のバリヤシートは、幅方向外側の部分が前後方向全体にわたり物品内面に固定されるとともに、幅方向中央側の部分が、前後方向の両端部のうち少なくとも一方の端部では物品内面に着脱自在に固定され、かつ前後方向の両端部間では物品内面に固定されておらず、この非固定部分により物品内面に対して起立可能なバリヤ部が形成されている、
ことを特徴とする吸収性物品。
【０００５】
（作用効果）
本発明は、バリヤ部の位置を決める前後の固定部のうち少なくとも一方を物品内面に着脱自在としたところに特徴がある。これによって、バリヤ部の前後の少なくとも一方の固定部を外し、任意の位置に固定する（換言すればバリヤシートの着脱部位を変更する）ことにより、バリヤ部先端の位置を調整できるようになる。よって、装着者の体形に応じてバリヤ部の位置を調整し、適切にフィットさせることができ、違和感や横漏れが発生し難くなる。
【０００６】
＜請求項２記載の発明＞
物品内面の幅方向両側部に、前後方向に延在するバリヤシートがそれぞれ設けられ、
両バリヤシートは、幅方向外側の部分が前後方向全体にわたり物品内面に固定されるとともに、幅方向中央側の部分が、前後方向の両端部のうち腹側の端部では物品内面に着脱自在に固定され、背側の端部では物品内面に固定され、かつ前後方向の両端部間では物品内面に固定されておらず、この非固定部分により物品内面に対して起立可能なバリヤ部が形成されている、
ことを特徴とする吸収性物品。
【０００７】
（作用効果）
本項記載の発明は、両方のバリヤ部を対象として、その位置を決める前後の固定部のうち腹側の固定部を物品内面に着脱自在としたものである。これにより、股間幅に応じて両バリヤ部の先端部の間隔を広くまたは狭く調整し、身体にフィットさせることができる。また着脱する固定部は腹側に位置するため、装着者が自分で調整できる等、調整作業が容易になる利点もある。
【０００８】
＜請求項３記載の発明＞
物品内面の幅方向両側部に、前後方向に延在するバリヤシートがそれぞれ設けられ、
両バリヤシートは、幅方向外側の部分が前後方向全体にわたり物品内面に固定されるとともに、幅方向中央側の部分が、前後方向の両端部では物品内面に着脱自在に固定され、かつ前後方向の両端部間では物品内面に固定されておらず、この非固定部分により物品内面に対して起立可能なバリヤ部が形成されている、
ことを特徴とする吸収性物品。
【０００９】
（作用効果）
本項記載の発明は、両方のバリヤ部を対象として、その位置を決める前後両方の固定部をそれぞれ物品内面に着脱自在としたものである。着脱自在とする固定部が前後のいずれか一方のみであると、バリヤ部の位置調整を行う際、バリヤ部の先端が前後方向に対して傾斜し易くなるのに対し、本項記載の場合、バリヤ部の先端位置を幅方向に平行移動させることができる等、自由自在の位置調整が可能となる。
【００１０】
＜請求項４記載の発明＞
前記バリヤシートの幅方向中央側の部分における前後方向範囲のうち、前記着脱自在に固定された端部における幅方向外側の縁に沿ってミシン目が形成されており、このミシン目を切り離すことにより、ミシン目を境に幅方向中央側の部分を幅方向外側の部分から離間させて物品内面に着脱自在に固定できるように構成した、請求項１〜３のいずれか１項に記載の吸収性物品。
【００１１】
（作用効果）
本発明によるバリヤ部の移動可能範囲は、主に、バリヤシートの幅、本体部の撓みによって定まるが、本項記載のミシン目を形成することにより、これらの制限を超えて、バリヤシートの着脱部位を移動できるようになり、バリヤ部の位置調整幅を拡大することができるようになる。しかも、この場合、ミシン目により切り離されることで、バリヤ部の位置を調整しても製品本体が歪まずに済み、着用者が違和感を覚え難くなる。
【００１２】
＜請求項５記載の発明＞
バリヤシートにおける少なくとも前記幅方向中央側の部分が、幅方向に弾性伸縮する弾性伸縮シートで形成されている、請求項１〜４のいずれか１項に記載の吸収性物品。
【００１３】
（作用効果）
本項記載のようにバリヤシートにおける少なくとも幅方向中央側の部分に弾性伸縮性をもたせることにより、バリヤシートの幅を変化させることができるようになる。よって、バリヤ部の位置調整幅を拡大することができるようになる。また、弾性伸縮範囲内では、バリヤ部の位置を大幅に調整してもバリヤシートに過大な皺が形成されることが無いため、装着感が悪化し難い。
【００１４】
＜請求項６記載の発明＞
前記着脱自在に固定するための手段として、前記バリヤシートにおける前記着脱自在に固定する部位に、表面にフック状突起を多数有するフック部、あるいは粘着材層が設けられている、請求項１〜５のいずれか１項に記載の吸収性物品。
【００１５】
（作用効果）
本発明の接合手段としては、本稿記載のものが好適である。特に固定力を重視する場合にはフック部が好適である。
【００１６】
＜請求項７記載の発明＞
前記バリヤ部の少なくとも先端部に、細長状弾性伸縮部材が前後方向に沿って伸張状態で固定されている、請求項１〜６のいずれか１項に記載の吸収性物品。
【００１７】
（作用効果）
かかるバリヤ部はフィット性に優れるため汎用されている。本発明は、かかるバリヤ部に対しても好適に応用できる。
【発明の効果】
【００１８】
以上の通り本発明によれば、装着者の体形に応じてバリヤ部の位置が調整可能になる等の利点がもたらされる。
【発明を実施するための最良の形態】
【００１９】
以下、本発明の実施の形態について、止着式の紙おむつを例に取り詳述するが、本発明はこれに限定されるものではなく、各種の吸収性物品に適用できるものである。
図１〜図５は、本発明に係る紙おむつの一例を示しており、この紙おむつは、不透液性バックシート１と、透液性トップシート２との間に、吸収体３が介在されているものである。
【００２０】
不透液性バックシート１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。肌触りを改善するために、不透液性バックシート１の外面に不織布を貼り付けて被覆することもできる。
【００２１】
透液性トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができる。
【００２２】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。
【００２３】
不透液性バックシート１は、吸収体３の周囲より外方に延在して略砂時計形状を成している。不透液性バックシート１の側方延在部の内面にはバリヤシート４の幅方向外側の部分４ｘが前後方向全体にわたり貼り付けられ、吸収体３の存在しないサイドフラップ部ＳＦを構成している。バリヤシート４の幅方向中央側の部分４ｃはトップシート２上にまで延在しており、その幅方向中央側の端部には、糸状弾性伸縮部材４Ｇが前後方向に沿って伸張状態でホットメルト接着剤等により固定されている。この糸状弾性伸縮部材４Ｇとしては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２４】
透液性トップシート２は、吸収体３より若干大きめの砂時計形状とされ、吸収体３側縁より若干外方に延在する部分がバリヤシート４と不透液性バックシート１との間に介在され不透液性バックシート１側にホットメルト接着剤等により固着されている。この固着部分は図３及び図４では点模様で示されている。バリヤシート４の素材としては、プラスチックシートやメルトブローン不織布を使用することもできるが、肌への感触性の点で、不織布にシリコンなどにより撥水処理をしたものが好適に使用される。
【００２５】
不透液性バックシート１の外面を不織布で覆う場合には、不透液性バックシート１に代えて、外装不織布を吸収体３の周囲より外方に延在させてバリヤシート４の側部とともに、吸収体８の存在しないサイドフラップ部ＳＦを構成することもできる。この場合、不透液性バックシート１をサイドフラップ部ＳＦまで延在させず、トップシート２と同様の形状とすることができる。
【００２６】
紙おむつの前後方向両端部では、不透液性バックシート１および透液性トップシート２が吸収体３の前後端よりも前後両側にそれぞれ延在され、吸収体３の存在しないエンドフラップ部ＥＦが形成され、このうち背側のエンドフラップ部ＥＦにおいては、複数本、図示の例では３本の糸状弾性伸縮部材７，７…が幅方向に沿って配設されている。この糸状弾性伸縮部材７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２７】
また、背側のエンドフラップ部ＥＦの両端部には、それぞれファスニングテープ５，５が側方に突出して取り付けられるとともに、紙おむつの腹側表面に幅方向に沿ってフロントターゲットテープ６が貼着されており、このフロントターゲットテープ６にファスニングテープ５の接合片８ａを止着することによって紙おむつが身体に装着されるようになっている。
【００２８】
図示例のファスニングテープ５は、１枚のファスニング基材シート８の内端側を紙おむつ側に接着して取り付けられ、先端側には外側縁から延在して上下２段で側方に突出する接合片８ａ、８ａが形成され、接合片８ａ、８ａの間のファスニング基材シート８部分に対し、外側縁から内側に向かい、かつ水平方向に沿ってミシン目１０が設けられているものであるが、これに限られず公知のファスニングテープを用いることができる。ファスニング基材シート８としては、種々のシート材を使用することができるが、好ましくは坪量４０〜８０ｇ／ｍ2の単層又は複層の不織布を用いるのがよい。加工法は強度特性に優れたスパンボンドが好ましい。接合片８ａ、８ａの内面側（透液性表面シート２側）には、表面にフック状突起を多数有する第１フックテープ（メカニカルファスナーの雄材）９，９がそれぞれ取り付けられ、フック状突起が着脱可能に掛止される表面を有するフロントターゲットテープ（メカニカルファスナーの雌材）６へ接合可能となっている。
【００２９】
そして、図３及び図４にも示されるように、両バリヤシート４，４は、幅方向外側の部分４ｘが前後方向全体にわたり物品内面（図示形態ではトップシート２表面およびバックシート１内面）に着脱しないように固定されるとともに、特徴的には、幅方向中央側の部分４ｃが、前後方向の両端部のうち腹側の端部では物品内面（図示形態ではトップシート２表面）に着脱自在に固定され、背側の端部では着脱しないように物品内面（図示形態ではトップシート２表面）に固定され、かつ前後方向の両端部間では物品内面（図示形態ではトップシート２表面）に固定されていない。この非固定部分は、図４に示されるように、物品内面（図示形態ではトップシート２表面）に対して起立可能なバリヤ部となる部分であり、その起立基端４ｂはバリヤシート４における幅方向外側の固定部分４ｘと内側の部分４ｃとの境に位置する。
【００３０】
より詳細には、各バリヤシート４の幅方向中央側の部分４ｃのうち、腹側の端部のトップシート２側面に、表面にフック状突起を多数有する第２フックテープ２１がそれぞれ貼り付けられており、対向面つまりトップシート表面の腹側端部には、幅方向に沿って両バリヤ部の起立基端４ｂ，４ｂ間の略全体にわたる第２ターゲットテープ２２が貼り付けられており、バリヤシート４の第１フックテープ２１がトップシート２上の第２ターゲットテープ２２に係止されるようになっている。
【００３１】
第２フックテープ２１のフック状突起は、きのこ状、Ｊ字状等、適宜の形状のものを用いることができる。第２フックテープ２１は各バリヤシート４に対して一枚ずつ設ける他、複数設けることもできる。また、第２ターゲットテープは、第２フックテープのフック状突起が絡まる表面を有するものであれば良く、基材シート表面にループ状の糸が突出しているものの他、不織布を用いることもでき、特にトップシート２が不織布である場合には別体のターゲットテープを設けずに、トップシート２自体に第２フックテープ２１を係止することもできる。第２ターゲットテープ２２は複数設けることもできる。また、図１にハッチングで示す部分、ならびに図３及び図４に点模様で示す部分は、バリヤシート４等が着脱しないように固定される部分であり、その固定にはホットメルト接着剤が好適に用いられるが、熱溶着や超音波溶着を用いることもできる。
【００３２】
バリヤシート４の形状・寸法は適宜定めることができる。本形態では、広い調整範囲を確保するために、着脱自在とされる側（この場合、腹側）に近づくにつれて、先端縁４ｐが幅方向中央側に張り出すように拡幅されているが、反対でも良く、また従来と同様に、バリヤシート４の幅方向中央側の端縁４ｐが前後方向に対して平行をなすように形成されていても良い。バリヤシート４の寸法は、適宜定めることができるが、両バリヤシート４，４の起立基端４ｂ，４ｂ間の間隔Ｗ３は１８０〜２７０ｍｍの範囲内とするのが好ましい。また、バリヤシート４の前後方向両端のうち、着脱しないように固定される側（この場合背側）における起立基端４ｂから先端４ｐまでの幅Ｗ１は５０〜７０ｍｍの範囲内とするのが好ましく、着脱自在に固定される側（この場合腹側）における起立基端４ｂから先端４ｐまでの幅Ｗ２はＷ１以上とするのが好ましく、特に５０〜９０ｍｍの範囲内とするのが好ましい。
【００３３】
また、この寸法範囲のバリヤシート４に設ける第２フックテープ２１の寸法としては、長さＹ１が１０〜８０ｍｍ程度、幅Ｘ１は１０〜７０ｍｍ程度とすることができる。また、これに対応する第２ターゲットテープの寸法としては、長さＹ２が１０〜８０ｍｍ程度、幅Ｘ２は２０〜１４０ｍｍ程度とすることができる。
【００３４】
かくして構成された紙おむつにおいては、図５及び図６に示すように、バリヤシート４の腹側端部の第２フックテープ２１を第２ターゲットテープ２２から剥がして、ターゲットテープ２２の任意の部位に固定することにより、両バリヤ部先端４ｐの位置を個別に調整できるようになる。よって、股間幅に応じて両バリヤ部の先端４ｐ，４ｐの間隔を広くまたは狭く調整し、身体にフィットさせることができる。また着脱する部位は腹側に位置するため、装着者が自分で調整できる等、調整作業が容易になる利点もある。
【００３５】
＜他の実施形態＞
（イ）  図７に示すように、両方のバリヤシート４，４の幅方向中央側の部分４ｃにおける、前後両端部をそれぞれ第２フックテープ２１および第２ターゲットテープ２２によりトップシート２表面に着脱自在に固定することもできる。着脱自在とする部位が前後のいずれか一方のみであると、バリヤ部の位置調整を行う際、図５に示す形態のように、バリヤ部の先端４ｐは前後方向に対して傾斜し易くなるのに対し、本形態の場合、バリヤ部の先端４ｐの位置を幅方向に平行移動させることができる等、自由自在の位置調整が可能となる。
【００３６】
（ロ）  図示しないが、幅方向両側のバリヤシート４，４のうちいずれか一方のバリヤシートのみに着脱自在の固定部を設けるようにしても良く、またその場合に、前後両端部のいずれか一方のみに着脱自在の固定部を設けるようにしても良い。
【００３７】
（ハ）  図８に示すように、バリヤシート４の幅方向中央側の部分４ｃにおける前後方向範囲のうち、着脱自在に固定された端部（図示の場合腹側の端部）における幅方向外側の縁に沿ってミシン目３０が形成されており、このミシン目３０を切り離すことにより、幅方向中央側の部分４ｃの第２フックテープを、幅方向外側の部分４ｘから離間させてターゲットテープ２２に着脱自在に固定できるように構成するのも好ましい。バリヤ部の移動可能範囲は、主に、バリヤシート４の幅、本体部の撓みによって制限されるが、かかるミシン目３０を形成することにより、これらの制限を超えて、バリヤシート４の着脱部位を移動できるようになり、バリヤ部の位置調整幅を拡大することができるようになる。
【００３８】
（ニ）  バリヤシート４における少なくとも幅方向中央側の部分４ｃ、好ましくは全体４ｃ，４ｘを、幅方向に弾性伸縮する弾性伸縮シートで形成すると、バリヤ部の位置調整幅を拡大できるとともに、弾性伸縮範囲内ではバリヤ部の位置を大幅に調整してもバリヤシートに過大な皺が形成されることが無いため好ましい。弾性伸縮シートとしては、ゴムシートの他、ゴムシートの表裏面に不織布を張り合わせた弾性伸縮シートや、２枚の不織布を貼り合わせるとともに、その間に、糸ゴム等の細長状弾性伸縮部材を幅方向に沿って伸張状態で固定したもの等を用いることができる。
【００３９】
（ホ）  上記例では、メカニカルファスナー（フックテープ及びターゲットテープ）により着脱自在に構成しているが、着脱手段を粘着材を用いて構成することもできる。例えば、上記例の第１及び第２フックテープ９，２１の少なくとも一方に代えて粘着材層を設け、第１及び第２ターゲットテープ６，２２の少なくとも一方に代えて平滑で粘着性に優れるテープを設け、粘着剤層の粘着性により剥離可能に固定することができる。
【産業上の利用可能性】
【００４０】
本発明は、バリヤ部を有する吸収性物品であれば、止着式、パンツ型、コンバーチブル型（止着式としても使用できるパンツ型）等の各種紙おむつの他、生理用ナプキン等の吸収性物品全般に適用できるものである。
【図面の簡単な説明】
【００４１】
【図１】実施形態の展開状態の内面側を示す平面図である。
【図２】図１のＡ−Ａ断面図である。
【図３】図１のＢ−Ｂ断面図である。
【図４】図１のＣ−Ｃ断面図である。
【図５】位置を変更した状態における、展開状態の内面側を示す平面図である。
【図６】図５のＢ−Ｂ断面図である。
【図７】他の実施形態の展開状態の内面側を示す平面図である。
【図８】別の実施形態の展開状態の内面側を示す平面図である。
【図９】従来のテープ式紙おむつの展開状態内面側を示す平面図である。
【図１０】図９のＢ−Ｂ断面図である。
【図１１】図９のＣ−Ｃ断面図である。
【符号の説明】
【００４２】
１…不透液性バックシート、２…透液性トップシート、３…吸収体、４…バリヤシート、５…ベルト部、６…第１ターゲットテープ、７…糸状弾性伸縮部材、８…基材シート、９…第１フックテープ、１０…ミシン目、２１…第２フックテープ、２２…第２ターゲットテープ、３０…ミシン目。
【図１】
2008079642.tif 000003
【図２】
2008079642.tif 000004
【図３】
2008079642.tif 000005
【図４】
2008079642.tif 000006
【図５】
2008079642.tif 000007
【図６】
2008079642.tif 000008
【図７】
2008079642.tif 000009
【図８】
2008079642.tif 000010
【図９】
2008079642.tif 000011
【図１０】
2008079642.tif 000012
【図１１】
2008079642.tif 000013